(57)【要約】【課題】  利用者が入手した電子データを違法にコピーすることを防ぐことが可能な電子データ管理サーバ等を提供する。【解決手段】  電子データ管理サーバ２０は、特定の電子データの要求元である利用者からの要求に応じて、その利用者の端末１０に該電子データを提供する際、前記利用者が前記特定の電子データを当該端末に記憶することを要求する場合には、前記特定の電子データに、前記利用者を識別可能な情報を書き込む情報書き込み部２３と、提供可能な複数のコンテンツを表す電子データを格納する電子データ格納部３０から、前記要求元より要求された前記特定の電子データを読み込み、読み込んだ特定の電子データを基に前記情報書き込み部２３により作成されたデータを、前記要求元に提供する提供部２２とを備える。【選択図】      図７
2015133056.tif 000002
【特許請求の範囲】
【請求項１】
特定の電子データの要求元である利用者からの要求に応じて、その利用者の端末に該電子データを提供する際、前記利用者が前記特定の電子データを当該端末に記憶することを要求する場合には、前記特定の電子データに、前記利用者を識別可能な情報を書き込む情報書き込み手段と、
提供可能な複数のコンテンツを表す電子データを格納する電子データ格納部から、前記要求元より要求された前記特定の電子データを読み込み、読み込んだ特定の電子データを基に前記情報書き込み手段により作成されたデータを、前記要求元に提供する提供手段とを備える
ことを特徴とする電子データ管理サーバ。
【請求項２】
前記情報書き込み手段は、
前記要求元により要求された前記特定の電子データに、前記利用者の個人情報を書き込む
ことを特徴とする請求項１記載の電子データ管理サーバ。
【請求項３】
前記個人情報は、前記利用者のクレジットカード番号、口座番号、住所、氏名、電話番号の少なくとも何れか、或いは、それらの組み合わせである
ことを特徴とする請求項２記載の電子データ管理サーバ。
【請求項４】
前記コンテンツを表す電子データは、電子書籍である
ことを特徴とする請求項１乃至請求項３の何れかに記載の電子データ管理サーバ。
【請求項５】
前記電子データを前記端末に記憶しないで閲覧する場合には、前記情報書き込み手段により前記利用者を識別可能な情報を前記特定の電子データに書き込まない
ことを特徴とする請求項１乃至４の何れかに記載の電子データ管理サーバ。
【請求項６】
前記特定の電子データの前記要求元である前記利用者から照会を受けて、前記利用者を識別可能な情報を基に、前記利用者が前記特定の電子データを提供してもよい利用者であるか否かを判定し、その判定結果を前記要求元に返却する回答手段をさらに備える
ことを特徴とする請求項１乃至請求項５の何れかに記載の電子データ管理サーバ。
【請求項７】
提供可能な複数のコンテンツを表す電子データを格納する電子データ格納部と、
サーバに対して、利用者が指定した特定の電子データを要求する要求手段と、
前記要求手段の要求に応じて、前記サーバから得られた前記特定の電子データを記憶する記憶手段とを備える端末と、
前記利用者が前記特定の電子データを当該端末に記憶することを要求する場合には、前記特定の電子データに、前記利用者を識別可能な情報を書き込む情報書き込み手段と、
前記要求手段により要求された前記特定の電子データを前記電子データ格納部から読み込み、読み込んだ特定の電子データを基に前記情報書き込み手段により作成されたデータを、前記端末に提供する提供手段とを備えるサーバとを有する
ことを特徴とする電子データ管理システム。
【請求項８】
前記特定の電子データを前記サーバに要求した前記端末において、その端末の前記記憶手段に記憶された前記特定の電子データを表示する
ことを特徴とする請求項７記載の電子データ管理システム。
【請求項９】
提供可能な複数のコンテンツを表す電子データを格納する電子データ格納部と、前記電子データ格納部にアクセス可能であり利用者が使用する端末から特定の電子データの要求を受けるサーバとを有する電子データ管理システムの電子データ管理方法であって、
前記端末は、前記サーバに対して、前記利用者が指定した特定の電子データを要求し、
前記サーバは、前記端末により要求された前記特定の電子データを、前記電子データ格納部から読み込み、前記利用者が前記特定の電子データを前記端末に記憶することを要求する場合には、読み込んだ特定の電子データに前記利用者を識別可能な情報を書き込んで作成したデータを、前記端末に提供し、
前記端末は、提供された電子データを記憶する
ことを特徴とする電子データ管理方法。
【請求項１０】
利用者が特定の電子データを当該端末に記憶することを要求する場合には、前記特定の電子データに、前記利用者を識別可能な情報を書き込む情報書き込み機能と
提供可能な複数のコンテンツを表す電子データを格納する電子データ格納部から、前記要求元より要求された前記特定の電子データを読み込み、読み込んだ特定の電子データを基に前記情報書き込み機能により作成されたデータを、前記要求元に提供する提供機能とを、コンピュータに実現させる
ことを特徴とするコンピュータ・プログラム。
【発明の詳細な説明】
【技術分野】
【０００１】
本発明は、電子データ管理サーバ、電子データ管理システムおよび電子データ管理方法、並びにコンピュータ・プログラムに関する。
【背景技術】
【０００２】
電子データの一種である電子書籍を提供するサービスにおいて、電子書籍を構成するコンテンツデータは、クラウド上に存在する方式が一般的である。利用者は、電子書籍端末等を用いて、ネットワーク経由で、そのコンテンツデータにアクセスすることにより、電子書籍を読む。
【０００３】
このため、電子書籍を提供するサービスを行っている会社が、例えば倒産や事業撤退をした場合、利用者は、購入済みの電子書籍であっても、その電子書籍を読むことができない。
【０００４】
そこで、購入した電子書籍のコンテンツデータを利用者が電子書籍端末に保管するサービスも提供されている。
【０００５】
しかし、利用者が電子書籍のコンテンツデータを電子書籍端末に保管した場合、利用者は、そのコンテンツデータを違法にコピーする虞がある。
【０００６】
ここで、本願出願に先だって存在する関連技術としては、例えば以下の特許文献がある。
【０００７】
特許文献１は、電子データを配信するにあたり、ユーザの要求により電子データを加工し、加工形式に応じた課金を行う電子データ配信システムを開示している。
【０００８】
特許文献２は、ユーザは、閲覧可能に提示された著作物（電子データ）の紹介情報を参照して、受信したい著作物を選択することにより、ユーザが所望の著作物を容易に受信することができる著作物提供支援装置を開示している。
【先行技術文献】
【特許文献】
【０００９】
【特許文献１】特開２００５−０１０８３０号公報
【特許文献２】特開２００３−２９６５９３号公報
【発明の概要】
【発明が解決しようとする課題】
【００１０】
しかしながら、特許文献１及び２に提案されている技術は、ユーザの環境や好みに合った電子データをユーザに提供することを目的としており、提供した電子データの違法なコピーを防ぐことについては、考慮していない。
【００１１】
そこで、本発明は、利用者が入手した電子データを違法にコピーすることを防ぐことが可能な電子データ管理サーバ等の提供を主たる目的とする。
【課題を解決するための手段】
【００１２】
上記の目的を達成すべく、本発明に係る電子データ管理サーバは、以下の構成を備えることを特徴とする。
【００１３】
即ち、本発明に係る電子データ管理サーバは、
特定の電子データの要求元である利用者からの要求に応じて、その利用者の端末に該電子データを提供する際、前記利用者が前記特定の電子データを当該端末に記憶することを要求する場合には、前記特定の電子データに、前記利用者を識別可能な情報を書き込む情報書き込み手段と、
提供可能な複数のコンテンツを表す電子データを格納する電子データ格納部から、前記要求元より要求された前記特定の電子データを読み込み、読み込んだ特定の電子データを基に前記情報書き込み手段により作成されたデータを、前記要求元に提供する提供手段とを備える
ことを特徴とする。
【００１４】
同目的を達成する本発明に係る電子データ管理システムは、
提供可能な複数のコンテンツを表す電子データを格納する電子データ格納部と、
サーバに対して、利用者が指定した特定の電子データを要求する要求手段と、
前記要求手段の要求に応じて、前記サーバから得られた前記特定の電子データを記憶する記憶手段とを備える端末と、
前記利用者が前記特定の電子データを当該端末に記憶することを要求する場合には、前記特定の電子データに、前記利用者を識別可能な情報を書き込む情報書き込み手段と、
前記要求手段により要求された前記特定の電子データを前記電子データ格納部から読み込み、読み込んだ特定の電子データを基に前記情報書き込み手段により作成されたデータを、前記端末に提供する提供手段とを備えるサーバとを有する
ことを特徴とする。
【００１５】
同目的を達成する本発明に係る電子データ管理方法は、
提供可能な複数のコンテンツを表す電子データを格納する電子データ格納部と、前記電子データ格納部にアクセス可能であり利用者が使用する端末から特定の電子データの要求を受けるサーバとを有する電子データ管理システムの電子データ管理方法であって、
前記端末は、前記サーバに対して、前記利用者が指定した特定の電子データを要求し、
前記サーバは、前記端末により要求された前記特定の電子データを、前記電子データ格納部から読み込み、前記利用者が前記特定の電子データを前記端末に記憶することを要求する場合には、読み込んだ特定の電子データに前記利用者を識別可能な情報を書き込んで作成したデータを、前記端末に提供し、
前記端末は、提供された電子データを記憶する
ことを特徴とする。
【００１６】
更に、同目的は、上記構成を有する電子データ管理サーバを、コンピュータによって実現するコンピュータ・プログラム、及びそのコンピュータ・プログラムが格納されている、コンピュータ読み取り可能な記憶媒体によっても達成される。
【発明の効果】
【００１７】
上記の本発明によれば、利用者が入手した電子データを違法にコピーすることを防ぐことができるという効果がある。
【図面の簡単な説明】
【００１８】
【図１】本発明の第１の実施形態に係る電子データ管理システムの構成を示すブロック図である。
【図２】本発明の第２の実施形態に係る電子書籍管理システムの構成を示すブロック図である。
【図３】本発明の第２の実施形態に係る電子書籍管理システムの電子書籍購入処理を示すシーケンス図である。
【図４】本発明の第２の実施形態に係る電子書籍管理システムの表紙にクレジットカード番号を書き込んだ場合の表示イメージを例示する図である。
【図５】本発明の第２の実施形態に係る電子書籍管理システムの文中にクレジットカード番号を書き込んだ場合の表示イメージを例示する図である。
【図６】本発明の第２の実施形態に係る電子書籍管理システムの電子書籍閲覧処理を示すシーケンス図である。
【図７】本発明の第４の実施形態に係る電子データ管理システムの構成を示すブロック図である。
【発明を実施するための形態】
【００１９】
次に、本発明を実施する形態について図面を参照して詳細に説明する。
【００２０】
＜第１の実施形態＞
図１は、本発明の第１の実施形態に係る電子データ管理システムの構成を示すブロック図である。
【００２１】
本実施形態に係る電子データ管理システムは、端末１００と、電子データ管理サーバ２００と、電子データ格納部３００とを有する。
【００２２】
電子データ格納部３００は、電子データ管理サーバ２００が管理する電子データを格納する。
【００２３】
端末１００は、照会部１１０と、要求部１２０と、記憶部１３０と、表示部１４０とを備える。
【００２４】
端末１００は、利用者が操作する端末であり、利用者が指定した電子データを、記憶部１３０に格納可能であると共に、表示部１４０に表示可能な端末である。
【００２５】
照会部１１０は、利用者が端末１００にて入力した利用者を識別可能な情報を基に、電子データを提供してもよい利用者であるか否かを、電子データ管理サーバ２００に照会する。
【００２６】
要求部１２０は、電子データ管理サーバ２００に対して、利用者が指定した電子データを要求する。
【００２７】
記憶部１３０は、要求部１２０の要求に応じて、電子データ管理サーバ２００から得られた電子データを記憶する。
【００２８】
電子データ管理サーバ２００は、回答部２１０と、提供部２２０と、情報書き込み部２３０とを備える。
【００２９】
回答部２１０は、端末１００の照会部１１０から渡された情報を基に、文章等のコンテンツを表す電子データを提供してもよい利用者であるか否かを判定し、その判定結果を照会部に返却する。
【００３０】
提供部２２０は、要求部１２０により要求された電子データを電子データ格納部３００から読み込む。
【００３１】
利用者が端末１００の記憶部１３０に電子データを記憶（格納）することを要求した場合に、情報書き込み部２３０は、読み込まれた電子データに、利用者を識別可能な情報を書き込み、端末１００に渡すデータを作成する。電子データに書き込んだ情報は、端末１００の表示部１４０に、書き込み前の電子データの内容に埋め込まれて表示される。利用者を識別可能な情報を電子データに埋め込む方法については、後述する実施形態において例示するが、その例示には限定されない。
【００３２】
提供部２２０は、情報書き込み部２３０により作成されたデータを、要求部１２０に提供する。
【００３３】
上述した実施形態では、端末１００にコンテンツを表示することを前提に説明したが、コンテンツの表示に限らず、コンテンツを音声で読み上げてもよい。音声で読み上げる場合、後述する閲覧なる動作は、端末によって読み上げられる音声を利用者が聴くこととする。
【００３４】
以上、説明したように、第１の実施形態には、利用者が入手した電子データを違法にコピーすることを防ぐことができるという効果がある。
【００３５】
その理由は、本実施形態に係る電子データ管理サーバは、利用者に電子データを提供する際に、その利用者が当該電子データを端末１００に格納しようとする場合は、その利用者を識別可能な情報を当該電子データに表示可能に書き込んで提供するからである。
【００３６】
なお、上述した実施形態において、図１に示した電子データ管理サーバ２００の機能は、その機能を実現可能なコンピュータ・プログラムを、ハードウェア資源であるコンピュータ（情報処理装置）が有するＣＰＵ（Ｃｅｎｔｒａｌ  Ｐｒｏｃｅｓｓｉｎｇ  Ｕｎｉｔ）において、実行することによっても達成可能である。このことは、後述する第２の実施形態において図２に示す電子書籍管理サーバ２０１乃至第４の実施形態において図７に示す電子データ管理サーバ２０についても同様である。
【００３７】
＜第２の実施形態＞
次に上述した第１の実施形態に係る電子データ管理システムを基本とする第２の実施形態について説明する。図２は、本発明の第２の実施形態に係る電子書籍管理システムの構成を示すブロック図である。
【００３８】
本実施形態に係る電子書籍管理システムは、電子書籍端末１０１と、電子書籍管理サーバ２０１と、電子書籍格納部３０１と、カード管理サーバ４０１とを有する。
【００３９】
電子書籍端末１０１は、照会部１１１と、要求部１２１と、記憶部１３１と、表示部１４１とを備える。
【００４０】
電子書籍管理サーバ２０１は、回答部２１１と、提供部２２１と、情報書き込み部２３１とを備える。
【００４１】
電子書籍格納部３０１は、電子書籍管理サーバ２０１が管理する電子書籍データを格納する。
【００４２】
カード管理サーバ４０１は、クレジットカードの信用照会および決済処理を制御する。本実施形態では、クレジットカードの信用照会および決済処理を同じサーバで実行するように説明するが、これには限定されない。クレジットカードに関する処理は、既存の技術を用いて実行すればよい。
【００４３】
電子書籍端末１０１は、利用者が操作する端末であり、利用者が指定した電子書籍を記憶部１３１に格納可能であると共に、表示部１４１に表示可能な端末である。
【００４４】
照会部１１１は、利用者が電子書籍端末１０１にて入力したクレジットカード番号とＰＩＮ（Ｐｅｒｓｏｎａｌ  Ｉｄｅｎｔｉｆｉｃａｔｉｏｎ  Ｎｕｍｂｅｒ）番号を基に、電子書籍を提供してもよい利用者か、電子書籍管理サーバ２０１の回答部２１１に照会する。
【００４５】
回答部２１１は、照会部１１１から渡された情報を基に、電子書籍を提供してもよい利用者であるか否かを判定する。
【００４６】
要求部１２１は、電子書籍管理サーバ２０１に対して、利用者が指定した電子書籍を要求する。この要求には、希望する電子書籍を表す電子データをダウンロードすると共に記憶部１３１に格納する形態（以下、「第１の要求モード」ともいう）と、当該電子データをダウンロードせずに閲覧だけ行う形態（以下、「第２の要求モード」ともいう）とがある。
【００４７】
記憶部１３１は、第１の要求モードの場合に、要求部１２１の要求に応じて、得られた電子書籍を記憶する。
【００４８】
提供部２２１は、要求部１２１により要求された電子書籍を電子書籍格納部３０１から読み込む。
【００４９】
情報書き込み部２３１は、読み込まれた電子書籍に、第１の要求モードの場合には、利用者のクレジットカード番号を書き込み、電子書籍端末１０１に渡すデータを作成する。
【００５０】
提供部２２１は、情報書き込み部２３１により作成されたデータを、要求部１２１に提供する。
【００５１】
（（第１の要求モード））
次に、本実施形態における電子書籍購入時の処理の流れについて、図３を用いて説明する。
【００５２】
図３は、本発明の第２の実施形態に係る電子書籍管理システムの電子書籍購入処理を示すシーケンス図である。
【００５３】
初めに、利用者は、電子書籍端末１０１において、クレジットカード番号とＰＩＮ番号を入力する（Ｔ０１）。
【００５４】
照会部１１１は、入力されたクレジットカード番号とＰＩＮ番号を表す情報を基に、電子書籍管理サーバ２０１に、クレジットカードが有効であるか否かを照会する。
【００５５】
電子書籍管理サーバ２０１の回答部２１１は、照会部１１１から受け取った情報を基に、カード管理サーバ４０１に、クレジットカードが有効であるか否かを照会する（Ｓ１１）。
【００５６】
照会を受けたカード管理サーバ４０１は、クレジットカード番号とＰＩＮ番号が有効かを確認し、確認結果を電子書籍管理サーバ２０１に返却する（Ｓ２１）。
【００５７】
電子書籍管理サーバ２０１の回答部２１１は、カード管理サーバ４０１から受け取った確認結果を電子書籍端末１０１に返却する。
【００５８】
クレジットカード番号とＰＩＮ番号が有効であった場合に、利用者は、電子書籍端末１０１にて、購入したい電子書籍を指定して、購入の申し込みを行う（Ｔ０２）。
【００５９】
電子書籍端末１０１において、要求部１２１は、指定された電子書籍を表す情報を基に、電子書籍管理サーバ２０１の提供部２２１に、その電子書籍を要求する。
【００６０】
提供部２２１は、カード管理サーバ４０１に、電子書籍の購入代金の費用を処理するように指示する（Ｓ１２）。カード管理サーバ４０１は、指定された電子書籍の代金を指定されたクレジットカードから引き落とす（Ｓ２２）
次に、電子書籍管理サーバ２０１において、提供部２２１は、指定された電子書籍のデータを電子書籍格納部３０１から読み込む（Ｓ１３）。
【００６１】
情報書き込み部２３１は、利用者のリクエストが電子書籍（コンテンツ）を表す電子データの入手（電子書籍端末１０１への格納）を求める形態の場合、読み込まれたデータに、クレジットカード番号を書き込む（Ｓ１４）。
【００６２】
提供部２２１は、情報書き込み部２３１にて書き込み後の電子書籍データを、電子書籍端末１０１に提供する（Ｓ１５）。
【００６３】
要求部１２１は、提供された電子書籍データを、記憶部１３１に記憶する（Ｔ０３）。
【００６４】
利用者は、記憶部１３１に記憶された電子書籍を、電子書籍端末にて読む（Ｔ０４）。
クレジットカード番号は、電子書籍の中の任意の位置に、表示されればよい。また、クレジットカード番号を表示する形式は、数字、漢字、ひらがな、カタカナ等のどのような形式でもよい。本実施形態では、クレジットカード番号を電子書籍に書き込む場合を例に説明する。しかしながら、電子書籍に書き込む情報は、クレジットカード番号に限らず、口座番号、住所、氏名、電話番号などの、個人が公開されることを望まない個人情報でもよい。この場合、使用する個人情報は、クレジットカード番号、口座番号、住所、氏名、電話番号の少なくとも何れか、或いは、それらを適宜組み合わせて利用してもよい。
【００６５】
クレジットカード番号を書き込んだ電子書籍を電子書籍端末にて表示した場合の表示イメージについて説明する。
【００６６】
図４は、本発明の第２の実施形態に係る電子書籍管理システムの表紙にクレジットカード番号を書き込んだ場合の表示イメージを例示する図である。
【００６７】
図４では、電子書籍の表紙を表示した画面の上のほうにクレジットカード番号が表示されている。
【００６８】
図５は、本発明の第２の実施形態に係る電子書籍管理システムの文中にクレジットカード番号を書き込んだ場合の表示イメージを例示する図である。
【００６９】
図５では、電子書籍の本文を表示した画面で、文の終わりの句点の後に４ケタずつクレジットカード番号が表示されている。
【００７０】
図５の場合には、クレジットカード番号が画面に分割して表示されるため、覗き見されても、図４の表紙の場合に比べて、クレジットカード番号がわかりにくい。しかし、クレジットカード番号が画面に表示されるため、利用者は、書籍データを電子書籍端末１０１ごと他人に渡したり、書籍データをコピーして渡す可能性は低い。
【００７１】
（（第２の要求モード））
次に、本実施形態における電子書籍を電子書籍端末１０１に保存せずに、閲覧のみ行う場合の処理の流れについて、図６を用いて説明する。
【００７２】
図６は、本発明の第２の実施形態に係る電子書籍管理システムの電子書籍閲覧処理を示すシーケンス図である。
【００７３】
図６において、図３に示す電子書籍購入処理と共通なステップについては同じステップ番号を付すことにより、上述した説明と重複する説明を省略する。購入の場合（図３）と同様、クレジットカード番号とＰＩＮ番号が有効であるか否かの照会を行い、有効であった場合に、利用者は、電子書籍端末１０１にて、閲覧したい電子書籍を指定して、閲覧の申し込みを行う（Ｔ０２１）。
【００７４】
要求部１２１は、指定された電子書籍を表す情報を基に、電子書籍管理サーバ２０１の提供部２２１に、その電子書籍を要求する。
【００７５】
提供部２２１は、カード管理サーバ４０１に、電子書籍の閲覧代金の費用を処理するように指示する（Ｓ１２１）。カード管理サーバ４０１は、指定された電子書籍の代金をクレジットカードから引き落とす（Ｓ２２）
次に、提供部２２１は、指定された電子書籍のデータを電子書籍格納部３０１から読み込む（Ｓ１３）。
【００７６】
電子書籍を電子書籍端末１０１に保存せずに閲覧のみ行う場合には、電子書籍データに、情報書き込み部２３１によるクレジットカード番号の書き込みを行わない。
【００７７】
提供部２２１は、提供部２２１が読み込んだ電子書籍データを、電子書籍端末１０１に提供する（Ｓ１５１）。
【００７８】
電子書籍端末１０１は、提供された電子書籍データを一時的なメモリ等に格納し、画面上に表示する（Ｔ０３１）。
【００７９】
利用者は、表示された電子書籍を読む。このとき、電子書籍の中にクレジットカード番号は表示されない。利用者は、電子書籍端末１０１に電子書籍を保存しないため、違法にコピーすることはできない。そのため、電子書籍端末１０１に表示される電子書籍は、クレジットカード番号を含まない電子書籍でも問題ない。
【００８０】
このように電子書籍を電子書籍端末１０１に保存しない場合に、利用者は、保存する場合と比べて、短時間で電子書籍を見ることが可能となる。これは、電子書籍データにクレジットカード番号を書き込む時間および電子書籍端末１０１に電子書籍データの保存に要する時間が不要になるからである。
【００８１】
以上、説明したように、第２の実施形態には、利用者が購入した電子書籍を違法にコピーすることを防ぐことができるという効果がある。
【００８２】
その理由は、本実施形態に係る電子書籍管理システムは、購入された電子書籍に利用者のクレジット番号を書き込んだ後に、利用者にその電子書籍を提供するからである。これにより、本実施形態によれば、利用者は、自分のクレジット番号を他の人に知られたくないので、電子書籍データを電子書籍端末１０１ごと他人に渡したり、電子書籍データの複製物を作成し、それを他人に渡す行為を行わないと予想される。即ち、本実施形態に係る電子書籍管理システムによれば、利用者による電子書籍の不適切な複製利用を行うことに対するけん制として働くので、そのような不正利用を未然に防止することができる。
【００８３】
＜第３の実施形態＞
次に上述した第２の実施形態に係る電子書籍管理システムを基本とする第３の実施形態について説明する。
【００８４】
上述した第２の実施形態において、電子書籍を購入した場合には、情報書き込み部２３１は、電子書籍のデータにクレジットカード番号を書き込んだ。本実施形態においては、情報書き込み部２３１は、さらに、電子書籍端末１０１を一意に識別可能な値（以下、端末識別子という）を電子データに関連付ける（書き込む）。
【００８５】
すなわち、電子書籍管理サーバ２０１は、電子書籍端末１０１に、クレジットカード番号と端末識別子を書き込んだ電子書籍データを提供する。
【００８６】
電子書籍端末１０１は、利用者が記憶部１３１に保存された電子書籍を読む場合には、電子書籍データの中に書き込まれた端末識別子の値を参照し、当該電子書籍端末１０１の端末識別子と一致していることを確認する。一致している場合に、電子書籍端末１０１は、その電子書籍を表示する。一致していない場合には、電子書籍端末１０１は、その電子書籍を表示しない。そのため、利用者は、その電子書籍を読むことができない。
【００８７】
以上、説明したように、第３の実施形態には、利用者が電子書籍を購入した電子書籍端末以外の電子書籍端末において、その電子書籍を読むことができないという効果がある。
【００８８】
その理由は、本実施形態に係る電子書籍管理システムは、購入時の電子書籍端末１０１を識別できる情報を電子書籍に書き込む。そして、電子書籍端末１０１は、利用者が電子書籍を読もうとしたとき、その情報が当該電子書籍端末１０１と一致している場合に、電子書籍を表示するからである。
【００８９】
＜第４の実施形態＞
上述した第１乃至第３の実施形態に共通する概念について、第４の実施形態として、図７を用いて以下に説明する。
【００９０】
図７は、本発明の第４の実施形態に係る電子データ管理システムの構成を示すブロック図である。
【００９１】
本実施形態に係る電子データ管理システムは、端末１０と、電子データ管理サーバ２０と、電子データ格納部３０とを有する。
【００９２】
電子データ格納部３０は、電子データ管理サーバ２０が管理する電子データを格納する。
【００９３】
端末１０は、要求部１２と、記憶部１３とを備える。
【００９４】
端末１０は、利用者が操作する端末であり、利用者が指定した電子データを、記憶部１３に格納可能であると共に、不図示のディスプレイに表示可能な端末である。
【００９５】
要求部１２は、電子データ管理サーバ２０に対して、利用者が指定した電子データを要求する。
【００９６】
記憶部１３は、要求部１２の要求に応じて、電子データ管理サーバ２０から得られた電子データを記憶する。
【００９７】
電子データ管理サーバ２０は、提供部２２と、情報書き込み部２３とを備える。
【００９８】
提供部２２は、要求部１２により要求された電子データを電子データ格納部３０から読み込む。
【００９９】
利用者が端末１０の記憶部１３に電子データを記憶（格納）することを要求した場合には、情報書き込み部２３は、読み込まれた電子データに、利用者を識別可能な情報を書き込み、端末１０に渡すデータを作成する。
【０１００】
提供部２２は、情報書き込み部２３により作成されたデータを、要求部１２に提供する。
【０１０１】
以上、説明したように、第４の実施形態には、利用者が入手した電子データを違法にコピーすることを防ぐことができるという効果がある。
【０１０２】
その理由は、本実施形態に係る電子データ管理サーバ２０は、利用者に電子データを提供する際に、その利用者が当該電子データを端末１０に格納しようとする場合は、その利用者を識別可能な情報を当該電子データに表示可能に書き込んで提供するからである。
【符号の説明】
【０１０３】
１０    端末
１２    要求部
１３    記憶部
２０    電子データ管理サーバ
２２    提供部
２３    情報書き込み部
３０    電子データ格納部
１００    端末
１０１    電子書籍端末
１１０    照会部
１１１    照会部
１２０    要求部
１２１    要求部
１３０    記憶部
１３１    記憶部
１４０    表示部
１４１    表示部
２００    電子データ管理サーバ
２０１    電子書籍管理サーバ
２１０    回答部
２１１    回答部
２２０    提供部
２２１    提供部
２３０    情報書き込み部
２３１    情報書き込み部
３００    電子データ格納部
３０１    電子書籍格納部
４０１    カード管理サーバ
【図１】
2015133056.tif 000003
【図２】
2015133056.tif 000004
【図３】
2015133056.tif 000005
【図４】
2015133056.tif 000006
【図５】
2015133056.tif 000007
【図６】
2015133056.tif 000008
【図７】
2015133056.tif 000009